(57)【要約】【課題】双方向の通電による発光表示を可能にし、高密度な実装を可能にする。【解決手段】同等特性を有する２個の発光ダイオード１０，１０を、それぞれ一方のアノード電極１１と他方のカソード電極１２とを互いに接続して発光ダイオード体２２を構成し、該発光ダイオード体２２をマトリクス配置して発光ダイオード群（Ｍ×Ｎ個）２１を構成する。前記２個一対の発光ダイオード１０，１０に対する駆動電流を、順方向と逆方向とに時分割制御し、２個の発光ダイオード１０，１０の表示時刻と表示時間と発光輝度とを、他の全発光ダイオード体２２に対して互いに独立に制御可能なパルス駆動にすることにより、マトリクス配置の行と列とを構成する駆動配線数の和（Ｍ＋Ｎ）を従来より半減（Ｍ＋Ｎ）／２）することができる。【選択図】図２
2007024929.tif 000002
【特許請求の範囲】
【請求項１】
少なくとも２つの電極間の一方の極性にて、電圧印加または電流駆動する場合のみ、発光性または受光透過性を呈する２個の表示素子において、それぞれ一方のアノード電極と他方のカソード電極とを互いに電気的に接続して２個一対の表示素子体を構成し、
任意の一期間において前記表示素子体の一方から他方の接続端子へ順方向に電流駆動し、他期間において前記端子の逆方向に電流駆動し、２端子にて前記各表示素子を時系列的にかつ独立して点滅制御する制御手段を備えたことを特徴とする表示素子駆動装置。
【請求項２】
前記表示素子が、発光ダイオードまたはエレクトロ・ルミネセンス素子であることを特徴とする請求項１記載の表示素子駆動装置。
【請求項３】
少なくとも２つの電極間における一方向の極性にて電圧印加または電流駆動する場合のみ、発光性または受光透過性を呈する２個の表示素子において、それぞれ一方のアノード電極と他方のカソード電極を互いに電気的に接続して２個一対の表示素子体を構成し、
２次元平面上の複数の列方向配線と行方向配線との交点の少なくとも一部に、前記表示素子体を配置してドット・マトリクス配置表示素子群を構成し、
前記表示素子に対して、任意の一期間において前記列方向配線を順次選択走査し、かつ前記行方向配線を発光または受光透過駆動し、他期間において前記列方向配線を発光または受光透過駆動し、かつ前記行方向配線を順次選択走査して、当該列方向と行方向との配線への走査と駆動とを周期的に反復制御することにより、前記各表示素子を時系列的にかつ独立して点滅制御する制御手段を備えたことを特徴とする２次元ドット・マトリクス配置表示素子駆動装置。
【請求項４】
少なくとも２つの電極間における一方向の極性にて電圧印加または電流駆動する場合のみ、発光性または受光透過性を呈する３個１組のＲＧＢ三原色用の表示素子において、３個のうちの２個を、それぞれ一方のアノード電極と他方のカソード電極を互いに電気的に接続して２個一対の表示素子体を構成し、
２次元平面上の複数の列方向配線と行方向配線との交点の少なくとも一部に、３個１組として前記表示素子体と他の表示素子を配置してドット・マトリクス配置表示素子群を構成し、
前記表示素子体に対して、任意の一期間において前記列方向配線を順次選択走査し、かつ前記行方向配線を発光または受光透過駆動し、他期間において前記列方向配線を発光または受光透過駆動し、かつ前記行方向配線を順次選択走査して、当該列方向と行方向との配線への走査と駆動とを周期的に反復制御することにより、前記各表示素子を時系列的にかつ独立して点滅制御する制御手段を備えたことを特徴とする２次元ドット・マトリクス配置表示素子駆動装置。
【請求項５】
前記表示素子が、発光ダイオードまたはエレクトロ・ルミネセンス素子であることを特徴とする請求項３または４記載の２次元ドット・マトリクス配置表示素子駆動装置。
【発明の詳細な説明】
【技術分野】
【０００１】
本発明は、２つの電極間の一方の極性にて、電圧印加または電流駆動する場合のみ、発光性または受光透過性を呈する表示素子を用いて、点滅制御する表示素子駆動装置および２次元ドット・マトリクス配置表示素子駆動装置に関するものである。
【背景技術】
【０００２】
発光ダイオードまたは液晶素子に代表される点状の表示素子を複数配置し、それらを互いに独立な時刻および時間において、独立な発光輝度または受光透過度にて制御しようとする場合の技術として、下記のような従来技術を例示することができる。
【０００３】
（第１例）
図６に示すように、発光ダイオード群６０の発光ダイオード素子６１のアノード電極を電源６２側の共通電極６３に接続し、発光ダイオード素子６１のカソード電極を個別に、表示素子駆動回路６４の発光電流制御回路６５に接続する直流駆動方式を構成する。
【０００４】
（第２例）
図７に示すように、発光ダイオード群７１を構成する発光ダイオードからなる表示素子７２のアノード電極を、当該マトリクス配置表示の行と列とで構成される配線交点の列配線７４に接続し、表示素子７２のカソード電極を配線交点の行配線７５に接続し、列配線を順序選択走査しながら、その選択時の表示素子７２に対して、行配線にて発光輝度の制御を、２次元ドット・マトリクス表示素子駆動回路７３により、図８に示す時系列波形にて行うパルス電流回路による駆動方式を構成する。
【０００５】
あるいは、前記表示素子７２である発光ダイオードに置換して液晶素子を使用した場合に、受光透過度の制御を同様のパルス電圧回路によるパッシブ・マトリクス配置駆動方式を構成する。
【０００６】
図９は、図７の回路構成を基に、ＲＧＢ三原色を構成する３個１組の発光ダイオード７２を表示単位とする色彩表示用途に拡張したドット・マトリクス表示素子駆動回路の構成図である。図９において、図７にて説明した部材に対応する部材には同一符号を付して詳しい説明は省略する。
【０００７】
図９に示す構成例では、図７における発光ダイオード７２の各１個を、各３個に拡張することにより、それらを互いに独立に制御するために、輝度制御用の配線数もＭ本から３倍の３Ｍ本に拡張されることになる。
【０００８】
（第３例）
図１０に示すように、液晶表示素子群９０のマトリクス配置されている配線交点に駆動トランジスタ９１を設け、液晶表示素子９２のアノード電極を駆動トランジスタ９１のソース電極に接続し、液晶表示素子９２の他方電極を接地側共通電極に接続し、駆動トランジスタ９１のゲート電極をマトリクス配置表示の行と列とで構成される配線交点の列配線に接続し、配線交点の行配線に駆動トランジスタ９１のドレイン電極を接続し、液晶電極間容量電圧による全列配線に渡る１回走査時間分の受光透過度保持を利用し、列配線を順序選択走査しながら、その選択時の液晶表示素子９２に駆動トランジスタ９１を通して行配線にて受光透過度の制御を、２次元ドット・マトリクス表示素子駆動回路９３により、図８に示すような時系列波形にて行うＰＨＭ（パルス電圧値変調）制御回路によるアクティブ・マトリクス配置駆動方式を構成する。
【０００９】
図７に示す第２例では、各発光ダイオード７２に所要の輝度を得るために、２次元ドット・マトリクス表示素子駆動回路７３の第１列目から第Ｎ列目までの列配線に電圧を印加し、２次元ドット・マトリクス表示素子駆動回路７３の第１行目から第Ｍ行目までの行配線の駆動電流源にて、発光ダイオード７２を駆動する。
【００１０】
このとき、各発光ダイオード７２の輝度を互いに他と独立して制御するために、図８に示すように、常に１つの列配線のみに選択的に電圧を印加し、列選択されたＭ個の発光ダイオード７２に対して、各行配線にて、それぞれ所要の輝度を得るための電流を切り換えながら駆動する。
【００１１】
この制御を、列配線の第１列目から第Ｎ列目まで順次走査し、さらに第１列目に戻って、順次、選択的な電圧印加を繰り返し、全発光ダイオードをパルス的に点滅させることにより、（Ｍ×Ｎ）個の全発光ダイオードを互いに独立な輝度で点滅させる。
【００１２】
前記選択的な電圧印加を、図８に示す１走査周期、すなわち列配線の第１列目から再び第１列目まで戻る周期を、肉眼の点滅を認識することができる限界の周波数、すなわち一般に６０Ｈｚ以上となる周期で駆動すると、肉眼では、ちらつきの感じられない絵文字パターンとして認識される。こうした２次元ドット・マトリクス配置表示装置は、電光表示板などに広く活用されている。
【００１３】
発光ダイオードの全素子数をＭ×Ｎ（Ｍ，Ｎは正の整数）個とすると、前記第１例では、発光輝度または受光透過度を直流駆動できるため、発光ダイオード素子の駆動電流または電圧の定格上限に近い発光輝度が得られるものの、マトリクス配置の表示素子群と、その駆動回路との配線総数が（Ｍ×Ｎ＋１）本なる多本数を必要とする。
【００１４】
また、第２例では、発光輝度または受光透過度がパルス駆動であることにより、時間平均時の発光輝度が直流駆動より劣るものの、配線数を（Ｍ＋Ｎ）本なる少ない本数にて駆動することができる。
【００１５】
また、第３例では、表示素子ごとに駆動トランジスタを挿入する必要があるものの、その効果により、第２例におけるパルス駆動の課題である表示素子の受光透過明暗度の改善、および隣接表示素子との受光透過干渉度の改善を図ることができる。
【００１６】
前記駆動トランジスタ効果により、画像表示装置においては、従来、ブラウン管表示が代表方式であったが、液晶表示装置が、薄型，軽量，省電力という特徴により、ブラウン管表示の代替方式になりつつある。
【００１７】
発光ダイオードおいては、従来、電子機器の単なる点発光による状態表示装置でしかなかったものが、青色発光ダイオードの量産化実現により、白色あるいはＲＧＢ３原色の色彩表示装置の一役を担って、携帯電話，玩具，住宅インテリアなどへの用途を拡大しつつある。
【００１８】
また、発光ダイオードの超寿命，省電力，色再現性が良いという特徴から、発光効率および出力の改善により、信号機，車の尾灯，撮影照明，液晶ディスプレイ背光照明への置換え用途も現れた。
【００１９】
さらに、こうした市場要求の発展から、蛍光灯照明や車の前照灯への置換えを狙うほどに、発光ダイオードの出力改善も進みつつある。
【００２０】
加えて、携帯電話への発光ダイオード用途は、光ることによる楽しさ自体を、その所有者に与える目的で使われ始めた。例えば、着信または通話時に、蛍発光（蛍に似せた周期点滅）またはレインボー発光（虹色７色の順次発光）と呼ばれる表示機能を搭載したものが商品化されている。
【特許文献１】特開平７−１９９８６１号公報
【発明の開示】
【発明が解決しようとする課題】
【００２１】
前記のように発光ダイオードの用途例は、従来の内蔵バッテリ・パックの充電完了や着信中であることを表示するという実用目的ではなく、他社機種との差別化を目的とする主観的または非実用的目的で多用され始めている。
【００２２】
ところが、携帯電話を考える場合、無線電話機能に加えて、データ通信，インターネット・ブラウザ，和音合成，カメラ，ビデオ，テレビ，ラジオ，音楽再生，ゲーム，地上位置検出，無線ＬＡＮ，個人認証，電子決済などのように、あらゆる機能を取り込みつつ、電話という本来の用途を外れた処で、高機能化と高密度実装化の一途を辿っている。
【００２３】
それらの課題として、携帯電話では、特に日本国内向けに代表される２つ折形状の筐体の場合、その開閉接続部の実装容積が極端に小さく、そこを通過する配線本数を極力低減するために、電気系システムの設計の際、２つ折形状に分離された筐体間の信号配線をできる限り多重化する手法の採用が必須となっている。
【００２４】
このような課題の解決策として、信号配線の多重化国際規格案が現れ、携帯電話端末メーカ業界にて、ＭＳＤＬ（Mobile Shrink Data Link）、あるいはＭＰＬ（Mobile Pixel Link）が、それぞれ規格提唱されている。
【００２５】
このような状況にあって、既述した携帯電話における各機能を実現するための各部品を、携帯電話における狭い筐体内で、いかに設置スペースを得るかを考察している中、さらに、携帯電話の筐体に、前記のような携帯電話の筐体背面における平面部に（９×１８）個程の２次元ドット・マトリクス表示のためのマトリクス配置表示部品を埋め込もうとすることは、携帯電話の筐体の機構設計を非常に困難にさせるものとなる。
【００２６】
前記のドット・マトリクス配置表示実装部分の小型化を行うためには、図７に示した表示素子群と駆動回路との接続配線体積を削減することも考慮する必要がある。
【００２７】
前記接続配線をなくすために、表示素子群と駆動回路とを積層一体化する方法があるが、反面、表示装置とその駆動装置との配置の自由度をなくしてしまうことになる。
【００２８】
本発明は、前記従来技術の課題を解決し、携帯電話に代表される機構的高密度実装を必要条件とする電子機器において、発光ダイオードに代表される表示素子群を、点滅時刻と発光輝度に対して互いに独立に制御する駆動回路との組み合わせにし、前記素子群と駆動回路との配線本数を削減することにより、それらの実装体積を減らし、前記高密度実装に寄与することを実現する表示素子駆動装置および２次元ドット・マトリクス配置表示素子駆動装置を提供することを目的とする。
【課題を解決するための手段】
【００２９】
前記目的を達成するため、本発明は、少なくとも２つの電極間の一方の極性にて、電圧印加または電流駆動する場合のみ、発光性または受光透過性を呈する２個の表示素子において、それぞれ一方のアノード電極と他方のカソード電極とを互いに電気的に接続して２個一対の表示素子体を構成し、任意の一期間において前記表示素子体の一方から他方の接続端子へ順方向に電流駆動し、他期間において前記端子の逆方向に電流駆動し、２端子にて前記各表示素子を時系列的にかつ独立して点滅制御する制御手段を備えたことを特徴とし、表示素子である発光ダイオードおよびエレクトロ・ルミネセンス素子に代表される駆動電流の特異性、すなわちアノード電極からカソード電極方向の駆動電流時のみ発光あるいは受光透過の性質を示す特性を利用し、前記のように構成された２個一対となる表示素子体の２電極間において、２つの表示素子を互いに独立に発光または受光透過させるため、２箇所の接続電極間の駆動電流方向を肉眼の点滅認識限界周波数（一般に６０Ｈｚ）以上で、順方向と逆方向とに時分割制御するものである。
【発明の効果】
【００３０】
本発明によれば、２次元ドット・マトリクス配置表示と、その駆動回路との接続配線に関して、表示素子総数を従来に比して増加させることができ、しかも、配線総数を従来に比して削減することができる。さらに端子総数の削減による小型化により、その２次元ドット・マトリクス配置表示装置全体の実装体積が削減されることにより、例えば携帯電話に代表される機構的高密度実装機器への設計難易度の緩和に寄与することができる。
【発明を実施するための最良の形態】
【００３１】
以下、本発明の実施形態について図面を参照しながら説明する。
【００３２】
本発明に係る実施形態としての２次元ドット・マトリクス配置表示装置に用いられる各表示素子は、発光ダイオードやエレクトロ・ルミネセンス素子に代表される発光時の電極間電流方向に特異性がある、すなわちアノード電極からカソード電極への順方向電流時のみ発光する素子である。
【００３３】
一般的な発光ダイオードの順方向と逆方向との電圧特性を（表１）に示す。
【００３４】
【表１】
2007024929.tif 000003
発光ダイオードは、一般的な整流用ダイオードに比較して、逆方向電圧が極端に低い特性を示すが、それでも、順方向電圧に対して１.４倍〜２倍程度の高い電圧値を示す。
【００３５】
この特性から、本実施形態では基本的に、図１（ａ）に示すように、同等特性を有する２個の発光ダイオード１０，１０において、それぞれ一方のアノード電極１１と他方のカソード電極１２とを互いに接続して発光素子体を構成し、双方の発光ダイオード１０，１０に、それぞれ順方向電流を与える際、前記順方向電圧が他方の逆方向電圧の定格を超えないように制御する。
【００３６】
発光ダイオード１０，１０は、逆方向電圧を印加しても順方向電流の約１／１０００以下のリーク電流が流れるものの、発光することはない。
【００３７】
したがって、図１（ａ）に示す構成において、２個の発光ダイオード１０，１０を電極２端子間にて順方向電流を反転駆動することにより、互いに排他的に点滅させることが可能である。
【００３８】
図１（ａ）に示す構成において、前記の順方向電圧が逆方向電圧の定格を超える場合、図１（ｂ）または図１（ｃ）に示すように、互いの発光ダイオード１０，１０に直列にショットキ・バリア・ダイオードに代表される逆方向電圧保護ダイオードである保護素子１３を接続し、発光ダイオード１０，１０の低い逆方向電圧の定格保護を行う。
【００３９】
ショットキ・バリア・ダイオードは、一般に、順方向電圧が約０.３Ｖ、逆方向電圧の定格が２０Ｖ以上の特性を容易に得ることができるため、それを保護素子１３として直列に接続することにより、順方向電圧の約０.３Ｖ増、逆方向電圧の定格２０Ｖ以上の特性を有する発光ダイオードを等価的に構成することができる。
【００４０】
次に、本発明に係る前記構成の発光素子体における表示素子駆動装置の実施形態について説明する。
【００４１】
（実施形態１）
図２は本発明に係る表示素子駆動装置の実施形態１における２次元ドット・マトリクス配置表示回路の構成図である。
【００４２】
図２において、２１は図１（ａ）に示す構成の２個一対の発光ダイオードからなる発光ダイオード体２２からなる発光ダイオード群、２３は２次元ドット・マトリクス表示素子駆動回路であり、発光ダイオード体２２の一方の電極を、当該マトリクス配置表示の行と列とで構成される配線交点の列配線２４に接続し、発光ダイオード体２２の他方の電極を、配線交点の行配線２５に接続している。図７に示す従来例における２次元ドット・マトリクス配置表示回路上の全ての発光ダイオード７２を、図１（ａ）の２個一対の発光ダイオード体２２に置換した回路例である。
【００４３】
そして、２次元ドット・マトリクス表示素子駆動回路２３内に、列配線２４において電圧印加回路２６ａと電流駆動回路２７ａとを選択切替する切替回路２８ａと、行配線２５において電圧印加回路２６ｂと電流駆動回路２７ｂとを選択切替する切替回路２８ｂとを設けて、それらを排他的に動作させることにより、発光ダイオード体２２の一方の発光ダイオードを、他方の発光ダイオードと独立に点滅させる。これらの切替回路２８ａ，２８ｂに対する切替制御および点滅制御などは、図示しない制御手段である図示しないＣＰＵ（中央演算処理部）によってコントロールする。
【００４４】
図３は実施形態１における駆動信号の時系列波形を示す図であり、図２の２次元ドット・マトリクス表示素子駆動回路２３には、列配線２４と行配線２５の双方に、電圧選択印加回路２６ａ，２６ｂと電流駆動回路２７ａ，２７ｂとを設け、図３に示すように、図８に示した１走査周期期間３３を２分割し、この期間３３を、列配線が電圧選択され、かつ行配線が電流駆動される期間３４と、列配線が電流駆動され、かつ行配線が電圧選択される期間３５とに、それぞれ切替回路２８ａ，２８ｂにより時系列的に機能分割する。
【００４５】
切換回路２８ａ，２８ｂを、図３の１走査周期期間３３内で２回反転切り換えし、図３の１走査周期期間３３内の前半を図８の従来と同様に制御信号の時系列波形にて、また同様に、後半を図８の従来と同様に列配線と行配線との機能を置換した制御信号の時系列波形にて、それぞれ動作させる。図３において、３１は列配線２４の選択電圧または駆動電流の時間波形を示し、３２は行配線２５の駆動電流または選択電圧の時間波形を示す。
【００４６】
図７に示す従来例と図２の実施形態１の回路例とを比較すると、実施形態１では、２個一対の発光ダイオードからなる発光ダイオード体２２を使用したことにより、図７に示す従来例に対し、同等の駆動配線総数（Ｍ＋Ｎ）本にて、２倍のドット・マトリクス配置表示素子を互いに独立して点滅することが可能である。
【００４７】
すなわち、ドット・マトリクス配置表示素子数が同等であれば、実施形態１は、図７に示す従来例に対し、駆動配線総数を（（Ｍ＋Ｎ）／２）に半減することができる。
【００４８】
（実施形態２）
図４は本発明に係る表示素子駆動装置の実施形態２における２次元ドット・マトリクス配置表示回路の構成図である。
【００４９】
図４において、図９に示す従来例のＲＧＢ三原色を構成する３個１組の表示素子の内、任意の２個を図１（ａ）に示す２個一対の発光ダイオード体４２に置換した構成である。本実施形態では、Ｇ(緑)とＢ(青)との発光ダイオードについて、発光ダイオード体４２として構成し、Ｒ（赤）を独立した１つの発光ダイオード４０としている。
【００５０】
４１は発光ダイオード４０と発光ダイオード体４２とからなる発光ダイオード群、４３は２次元ドット・マトリクス表示素子駆動回路であり、発光ダイオード４０と発光ダイオード体４２の一方の電極を、当該マトリクス配置表示の行と列とで構成される配線交点の列配線４４に接続し、発光ダイオード４０と発光ダイオード体４２の他方の電極を配線交点の行配線４５に接続している。
【００５１】
そして、２次元ドット・マトリクス表示素子駆動回路４３内に、列配線４４において電圧印加回路４６ａと電流駆動回路４７ａとを選択切替する切替回路４８ａと、行配線４５において電圧印加回路４６ｂと電流駆動回路４７ｂとを選択切替する切替回路４８ｂとを設け、本実施形態では、切替回路４８ｂによって、奇数行配線にて電流駆動の有無、かつ偶数行配線にて電圧選択と電流駆動との切替を行う。これらの切替回路４８ａ，４８ｂに対する切替制御および点滅制御などは、図示しない制御手段である図示しないＣＰＵ（中央演算処理部）によってコントロールする。
【００５２】
ここで、（表１）に示すように、逆方向電圧の比較的に高い発光ダイオードを選んで図１（ａ）の表示素子を構成する方が、図１（ｂ）および図１（ｃ）に示すような保護素子１０である逆方向電圧保護ダイオードを設ける負担が減少する。
【００５３】
図５は実施形態２における駆動信号の時系列波形を示す図であり、２次元ドット・マトリクス表示素子駆動回路４３に、列配線４４および行配線４５の双方に、電圧選択印加回路４６ａ，４６ｂと電流駆動回路４７ａ，４７ｂとを設け、図５に示すように、図８に示した１走査周期期間５３を２分割し、この期間５３を、列配線が電圧選択され、かつ奇数行配線が電流駆動の期間５４と、列配線が電圧選択され、かつ偶数行配線が電流駆動の期間５５と、列配線が電流駆動され、かつ偶数行配線が電圧選択の期間５６とに、それぞれ切替回路４８ａ，４８ｂにより時系列的に機能分割する。
【００５４】
切換回路４８ａ，４８ｂを、図５の１走査周期期間５３内で３回反転切り換えし、１走査周期期間５３内の前半を奇数行配線については、図８の従来と同様に制御信号の時系列波形にて、また同様に、中程を偶数行配線について、図３の前半の列配線と行配線との制御信号の時系列波形にて、また同様に、後半を偶数行配線について、図３の後半の列配線と行配線との機能を置換した制御信号の時系列波形にてそれぞれに動作させる。図５において、５１は列配線４４の選択電圧または駆動電流の時間波形を示し、５２は行配線４５の駆動電流または選択電圧の時間波形を示す。
【００５５】
図５における１走査周期期間５３内の前半では、点滅を待機するＲ（赤）色の発光ダイオード以外のＧ（緑）色およびＢ（青）色の発光ダイオードが点灯しないように、図４の切換回路４８ａにて偶数行配線への接続を全て切断し、また同様に、１走査周期期間５３内の中程と後半では、点滅を待機するＧ（緑）色およびＢ（青）色の発光ダイオード以外のＲ（赤）色の発光ダイオードが点灯しないように、切換回路４８ａにて奇数行配線への接続を全て遮断する。
【００５６】
図９に示す従来例と図４の実施形態２の回路例とを比較すると、実施形態２では、２個一対の発光ダイオードからなる発光ダイオード体２２を使用したことにより、図９に示す従来例に対し、駆動配線総数を（３Ｍ＋Ｎ）本から（３Ｍ×（２／３）＋Ｎ）本、すなわち（２Ｍ＋Ｎ）本に削減することができる。
【００５７】
なお、駆動信号の時系列波形に関して、１つの発光ダイオードの１走査周期期間当りの選択時間に注目すると、図７の従来例と実施形態１との比較では実施形態１は１／２となり、また、図７の従来例と実施形態２との比較では実施形態２は１／３となり、発光時のデューティが小さくなることによる最大輝度の低下という課題がある。
【００５８】
しかし、将来の外部発光効率すなわち発光出力を飛躍的に向上させる発光ダイオードの商品化が期待されることから、図８に示す従来例の時系列制御による現状の輝度で満足される場合、近い将来、図３および図５に示す実施形態の時系列制御においても、従来例と同等な輝度が得られるものと期待される。
【産業上の利用可能性】
【００５９】
本発明は、２次元ドット・マトリクス配置表示の行と列との配線交点に接続された複数の発光または受光透過、および遮断の特性を有する表示素子群を、それらの表示時刻および表示時間と、発光輝度または受光透過度とを表示素子に対して、互いに独立に制御し得る時系列パルス変調の駆動方式の技術として有効である。
【図面の簡単な説明】
【００６０】
【図１】（ａ），（ｂ），（ｃ）は本発明の実施形態にて使用される２個一対の発光ダイオードからなる発光素子体（発光ダイオード体）の構成図
【図２】本発明に係る表示素子駆動装置の実施形態１における２次元ドット・マトリクス配置表示回路の構成図
【図３】実施形態１における駆動信号の時系列波形を示す図
【図４】本発明に係る表示素子駆動装置の実施形態２における２次元ドット・マトリクス配置表示回路の構成図
【図５】実施形態２における駆動信号の時系列波形を示す図
【図６】従来の１次元的表示素子駆動回路の構成図
【図７】従来の２次元ドット・マトリクス表示素子駆動回路の構成図
【図８】図７の駆動回路の時系列制御信号波形を示す図
【図９】図７をＲＧＢ三原色色彩表示用途に拡張した従来の２次元ドット・マトリクス表示素子駆動回路の構成図
【図１０】従来の液晶表示装置に代表される２次元アクティブ・マトリクス表示素子駆動回路の構成図
【符号の説明】
【００６１】
１０  発光ダイオード
１１  アノード電極
１２  カソード電極
１３  保護素子（逆方向電圧保護ダイオード）
２１  発光ダイオード群（Ｍ×Ｎ）個
２２  発光ダイオード体
２３  ２次元ドット・マトリクス表示素子駆動回路
２４  選択走査または輝度制御の列配線（Ｎ本）
２５  輝度制御または選択走査の行配線（Ｍ本）
２６ａ，２６ｂ  電圧印加回路
２７ａ，２７ｂ  電流駆動回路
２８ａ，２８ｂ  電圧選択と電流駆動との切換回路
３１  列配線の選択電圧または駆動電流の時間波形
３２  行配線の駆動電流または選択電圧の時間波形
３３  図８の１走査周期期間
３４  列配線が電圧選択かつ行配線が電流駆動の期間
３５  列配線が電流駆動かつ行配線が電圧選択の期間
４１  発光ダイオード群（３Ｍ×Ｎ）個
４０  発光ダイオード
４２  発光ダイオード体
４３  ２次元ドット・マトリクス表示素子駆動回路
４４  選択走査または輝度制御の列配線  Ｎ本
４５  輝度制御または選択走査の行配線  ２Ｍ本
４６ａ，４６ｂ  電圧印加回路
４７ａ，４７ｂ  電流駆動回路
４８ａ  奇数行配線が電流駆動の有無かつ偶数行配線が電流駆動と電圧選択との切換回路
４８ｂ  電圧選択と電流駆動との切換回路
５１  列配線の選択電圧または駆動電流の時間波形
５２  行配線の駆動電流または選択電圧の時間波形
５３  図８の１走査周期期間
５４  列配線が電圧選択かつ行配線が電流駆動の期間
５５  列配線が電圧選択かつ偶数行配線が電流駆動の期間
５６  列配線が電流駆動かつ偶数行配線が電圧選択の期間
【図１】
2007024929.tif 000004
【図２】
2007024929.tif 000005
【図３】
2007024929.tif 000006
【図４】
2007024929.tif 000007
【図５】
2007024929.tif 000008
【図６】
2007024929.tif 000009
【図７】
2007024929.tif 000010
【図８】
2007024929.tif 000011
【図９】
2007024929.tif 000012
【図１０】
2007024929.tif 000013